(57)【要約】  販売個所でペット・リード構成を選択できるようにする構成が開示されている。構成要素は分解された状態で保管されており、ペット・リード又は首輪をペット首輪用クリップに取り付けるために取り付け手段又はリンクを使用して組み立てられる。クリップは、動物の形状に構成されており、動物の体躯の一部分がクリップを作動するために機械的に動かすことができるようになっている。
2007530018.tif 000002
【特許請求の範囲】
【請求項１】
販売時点情報管理(逆アセンブルされた配置(多くのペット鉛および(または)ペットの鉛および(または)カラーを組み立てるのに十分で輪郭をとることができるカラー・コンポーネント)に、格納のために配置を含むシステム)でペットの鉛かカラー配置を選択するためのシステム。
【請求項２】
コンポーネントを可能にする会議設備をさらに含んで、クレーム１に要求されるようなシステムは、販売時点情報管理で、ペットの鉛および(または)カラー配置へ組み立てられる準備から選択しました。
【請求項３】
クレーム２つごとに要求されるようなシステム、会議設備はそこで形成されますか、希望のペット鉛および(または)カラー配置へ鉛かカラーの購入者がコンポーネントを組み立てることができるそのようなもの。
【請求項４】
クレーム２あるいは３つごとに要求されるようなシステム、記憶配置および会議設備は、そこで互いの接近の中で位置しますか、選択されたコンポーネントが希望のペット指導あるいはカラー配置へ直ちに組み立てることができるそのようなもの。
【請求項５】
前のクレーム(そこでペットの鉛コンポーネントは次のものの多くの各々を含む)のうちの任意の１つで要求されるようなシステム：カラーへの放免可能な付属のために形成されたクリップ；付属をクリップに固定するためのつなぎひも。
【請求項６】
クレーム５に要求されるようなシステム、そこでコンポーネントは、ペットによって着用されるために形成された多くのカラー、およびカラーにクリップを付けるための多くの輪をさらに含みます。
【請求項７】
システム、つなぎひもの中心に近い方の終了へクリップを付けるための放免可能な付属手段をさらに含んで、クレーム５あるいは６に要求されるように、付属はどちらかあるいはクリップとつなぎひも両方に関係していることを意味します。
【請求項８】
クレーム５〜７のうちの任意の１つ(そこで人によって保持されるために各つなぎひもの遠位の終了は形成される)で要求されるようなシステム。
【請求項９】
前のクレーム(そこでコンポーネントはペットの鉛および(または)カラーのマニュアル会議に十分で、輪郭をとることができる)のうちの任意の１つで要求されるようなシステム。
【請求項１０】
クレーム１〜４のうちの任意の１つ(そこではペットのカラー・コンポーネントは次のものの多くの各々を含む)で要求されるようなシステム:― カラーの集まりを定義するためにループへ生ずるための延長メンバ；また延長メンバに固定することができるカップリング・コンポーネントおよびつなぎひもへの許可する放免可能な付属。
【請求項１１】
ここに記述されるように販売時点情報管理でペットの指導かカラー配置を本質的に選択するための、および伴う図面に関してのシステム。
【請求項１２】
販売時点情報管理でペットの鉛かカラー配置の選択をそれぞれ可能にする方法、ステップを含むこと、の、ペットの鉛および(または)カラーを組み立てるのに十分で輪郭をとることができる多くのペット鉛かカラー・コンポーネントを提供して、販売時点情報管理で。
【請求項１３】
クレーム１２に要求されるような方法、一層のステップを含むこと、の、ペットの鉛および(または)カラー配置へ選択されたコンポーネントの会議に備える販売時点情報管理で。
【請求項１４】
クレーム１３に要求されるような方法、そこで選択されたそれぞれのコンポーネントが希望のペット鉛および(または)カラー配置へ直ちに組み立てられることを可能にするために、会議設備と一緒のペットの鉛かカラー・コンポーネントは、互いの接近の中で提供されます。
【請求項１５】
任意の１に要求されるようなクレーム１２〜１４の方法、そこで鉛かカラーの購入者は希望のペット鉛および(または)カラー配置へそれぞれのコンポーネントを組み立てることができます。
【請求項１６】
ここに記述されるように販売時点情報管理でペットの指導かカラー配置の選択および伴う図面を本質的に可能にする方法。
【請求項１７】
ペットに鉛を含むこと：ペットのカラーへの放免可能な付属のために形成されたクリップ；また、付属は延長メンバーにクリップの放免可能な付属のために意味します。
【請求項１８】
クレーム１７に要求されるような指導、そこで延長メンバーは１つの終了へ拘束物を付けます、また、付属は放免可能に意味します、拘束物をクリップに結び付けます。
【請求項１９】
ペットの指導、認識票あるいは他のカラーの依存するオブジェクトへの放免可能な付属のために形成されたクリップを含むペットのカラー、およびカラーの延長メンバーに付けられているクリップ。
【請求項２０】
クレーム１９に要求されるようなカラー、そこで延長メンバーは拘束物をそれに付けます、また、付属は放免可能に意味します、拘束物をクリップに結び付けます。
【請求項２１】
クレーム１８あるいは２０に要求されるような指導かカラー、付属はそこで意味しますか、次のものを含む：拘束物かクリップに上がれる男性の部分；そしてクリップか拘束物に上がれる女性の部分、また男性の部分をそこに受け取ることにそれぞれそのようなものを適応させる、取られた時、男性および女性の部分はクリップと拘束物をともに付けます。
【請求項２２】
クレーム２１に要求されるような指導かカラー、そこで糸は、外部的に男性の部分の一部に通されます。また、糸は、男性および女性の部分にねじ継手のために、内部にともに女性の部分の一部に通されます。
【請求項２３】
クレーム２１あるいは２２に要求されるような指導かカラー、そこで袖はこの袖の１つの終了に挿入されている、女性の部分、およびこの袖の反対の終了に挿入されている男性の部分と共に拘束物かクリップにマウントされます。
【請求項２４】
クレーム２３で要求されるような指導かカラー、そこでは女性の部分は、袖の中で快適に受け取られます、しかし、男性の部分は、女性の部分および袖を越えて外に出る、拡大した頭を持ちます。
【請求項２５】
クレーム２１に要求されるような指導かカラー、そこで男性の部分はすねです。また、女性の部分は袖です、袖によって挿入することができるということであるすね、自由な終了がすねと共に、そこを超えて出すそのようなもの、袖の内部の次元より大きな周囲を持っている座金によって約束に適応される溝を含む自由な終了。
【請求項２６】
クレーム２１に要求されるような指導かカラー、そこで男性の部分はすねです，また、女性の部分は袖です、袖へ挿入することができるということであるすね、自由な終了が袖の内にあるそのようなもの、袖の側面の壁に定義されたスロットで整列させることができるということである溝を含むすねの自由な終了、スロットを通って挿入することができる座金によって約束に適応されている溝、それによって、一旦、座金がスロットを通って挿入され、溝の上で従事したならば、それは袖の中ですねをロックします。
【請求項２７】
クレーム２１に要求されるような指導かカラー、男性の部分は、そこでそれの自由な終わりおよび女性の部分で突起を持っているすねですか、側にスロットを持っている袖である、それについてそれを囲む、横にすねを受け取り、かつそれを通って運搬するために形作られる、また座席(袖から取り除かれるためにそのときどこからそれは縦に横に移動されなければならない)へ突起が縦に移動することを可能にする、付属は袖スロット中の受取の固定のために形作られたプラグをさらに含むことを意味します、それによって、一度、すね、また運搬する、スロットを通って挿入された、プラグは、すねをロックし、かつ袖の中で運搬するためにスロットに挿入し固定することができます。
【請求項２８】
クレーム２７に要求されるような指導かカラー、プラグはそこで反対する突き出る指(それの自由な終わりで引っ掛ける手段を各々持って)を持ちますか、また、袖の内部壁はそこで対応する穴を持ちますか、定義した、それを通って、それがスロットに挿入される場合に、袖の中のプラグを固定するためにそれぞれの引っ掛ける手段をそこに受け取るための各穴。
【請求項２９】
クレーム２７あるいは２８に要求されるような指導かカラー、拘束物の部分は、そこで袖(それによって突起は突起とプラグの部分の間に拘束物部分をはさむために拘束物部分の下で座ることができる、プラグの一部が拘束物部分上に伸びる)によって伸びますか。
【請求項３０】
クレーム２０で要求されるような指導かカラー、そこでは拘束物は、端と連結され、クリップの端が、および延長メンバーの輪状の端が通過されるかもしれない開始によって全体に作られて、カラビナの形をしています。
【請求項３１】
クレーム３０に要求されるような指導かカラー、袖は、そこでカラビナにマウントされ、すね、クリップから伸びて、袖によって挿入される、自由な終了が底を越えて出すそのようなもの、そのためにクリップをカラビナに固定する袖の内部の次元より大きな周囲を持っているために型鉄で曲げられているすねの自由な終了。
【請求項３２】
クレーム１７あるいは１９に要求されるような指導かカラー、延長メンバーの終了はそこでループになり、付属、意味する、次のものを含む:クリップ中のループあるいは口径を通り抜ける拘束物;またクリップかループ中の口径をそれぞれ通り抜ける拘束物用のピン。
【請求項３３】
クレーム３２に要求されるような指導かカラー、そこでピンは糸が通された端を持っています，また、反対は頭、拘束物の1つの腕の自由な端に定義された、糸が通された休憩へねじることができるということである、糸が通された端、および拘束物の別の腕の自由な端に定義された休憩で抑制されている、拡大した頭を拡大させました。
【請求項３４】
クレーム３１あるいは３２に要求されるような指導かカラー、そこで拘束物はＵ字型です。
【請求項３５】
クレーム１７あるいは１９に要求されるような指導かカラー、付属はそこで意味しますか、クリップの接続のためにリンクを含む、またメンバーをともに延長する、リンク、クリップに増大される、全体にクリップが作られるか、、クリップ中の口径によって伸びます、さらに、延長メンバーの輪状の終了まで伸びること、延長メンバーの輪状の終了、拘束物とピボットのピン配置によって可能になる、の中で、どれ、延長拘束物の中で移動に対して同じことをロックするために、拘束物は穴を通って自由な終了に挿入されます。
【請求項３６】
クレーム１７あるいは１９に要求されるような指導かカラー、付属はそこで意味しますか、クリップの接続のためにリンクを含む、またメンバーをともに延長する、クリップにマウントされているか、全体にクリップあるいはクリップ中の口径によって伸びることが作られたリンク、そして、さらに、延長メンバーの輪状の終了まで伸びること、延長メンバーの輪状の終了は後ろに折り重なることにより定義される、延長メンバーの自由な終了、そして、放免可能に、延長メンバーの隣接した部分に対してそれを固定すること。
【請求項３７】
クレーム３６に要求されるような指導かカラー、そこで、自由な終了が放免可能に固定される延長メンバー、１つ以上のスナップの配置による隣接した部分、リベット、あるいは糸は通された、点在させる、その間に。
【請求項３８】
クレーム３５〜３７のうちの任意の１つ(そこでリンクは閉じた楕円形形作るか長方形の輪である)で要求されるような指導かカラー。
【請求項３９】
クレーム１７あるいは１９に要求されるような指導かカラー、付属はそこで意味しますか、延長メンバーの輪状の終了および別のリンクまで伸びる、最初のリンクを含む、マウントされた、に、あるいは、全体に、クリップが作られた、あるいはクリップ中の口径によって伸びること、第１または第２リンクのうちの１つで、１Ｔ−個の軸に接続される、また第２または第１リンクの他方は身体に接続される、Ｔ−形のスロットを持っていること、Ｔ−部分の受取のためにそこに定義された、に第１と第２リンクをともに接続してください。
【請求項４０】
クレーム３９に要求されるような指導かカラー、Ｔ−部分および身体はそこで各々ですか、身体によって縦に伸びて、第１と第２リンクをともに接続するために１延長Ｔ−部分が滑らせることができるそれの終わりでスロットへのＴ−形の開始を定義するＴ−形のスロットと共に延びます。
【請求項４１】
クレーム３９あるいは４０に要求されるような指導かカラー、そこでグラブネジかピンはＴ−部分が第１と第２リンクをともにロックするために身体に位置する場合に、Ｔ−部分によって、および身体へ伸びるためにマウントすることができます。
【請求項４２】
クレーム１７あるいは１９に要求されるような指導かカラー、付属はそこで意味しますか、次のものを含む：その内部、延長メンバーに接続された身体あるいはクリップに対してくぼんだ内部および口径を持っている身体；そしてそれの自由な終わりでの突起を備えたすね、口径より大きな横断面の次元を持っている突起、しかし身体内にくぼんだ内部(クリップに接続されているすね)に適合するかあるいはメンバーをそれぞれ延長するために分類された；突起および(または)身体の少なくとも１つはそこで変形可能かあるいは柔軟ですか、突起が延長メンバーおよびクリップをともに接続するために口径によって、およびくぼんだ内部へ挿入することができるそのようなもの。
【請求項４３】
クレーム１７あるいは１９に要求されるような指導かカラー、付属はそこで意味しますか、次のものを含む：くぼんだ内部、延長メンバーに接続された身体あるいはクリップ内に位置を確定できる輪要素と共に、その内部に対してくぼんだ内部および口径を持っている身体；そして輪要素をそこに受け取るために溝を持っているすね、溝は置きました、すね(クリップに接続されているすね)の自由な終了に隣接している、あるいはメンバーをそれぞれ延長する；そこで、すねの少なくとも１つ、または要素を鳴らす、変形可能か柔軟である、そのようなもの、輪要素が延長メンバーおよびクリップをともに接続するために溝へ乗るまで、すねは口径によって、およびくぼんだ内部へ挿入することができます。
【請求項４４】
クレーム４３に要求されるような指導かカラー、輪要素は、そこですねがそこを超えて移動させるとともに変形される循環的なスプリングを含み、どのスプリング、溝へ、一度、それはその上に提携します。
【請求項４５】
クレーム２１〜４４のうちの任意の１つ(そこで延長メンバーは革ひもである)の中で定義されるようなカラー。
【請求項４６】
４４まで１７クレームのうちの任意の１つあるいは２１の中で定義されるような指導、いつ、クレーム１７の上の従者、そこで、延長，メンバーは、それの遠隔の終わりでハンドルを含んでいるつなぎひもか革ひもです。
【請求項４７】
指導あるいはカラー、クレーム１７〜４６のうちの任意の１つ(そこでクリップはクリップの口径への道を定義するばね上げしてあるピンを持っており、そこで出が、ピンから外形上伸びて、スプリングに対するピンの道を開くように促すことを可能にするためにユーザの指をそこで受け取ることに適応される)で要求されたとともに。
【請求項４８】
クレーム４７に要求されるような指導かカラー、そこでホックはＪかＵ字型で、ユーザの指を快適にそこに受け取るために分類されます。
【請求項４９】
クレーム１７〜４８のうちの任意の１つで要求されるような指導かカラー、クリップの口径への道は、そこで中枢的に馬に乗った延長メンバーによって定義されますか・・・中間・・・旋回軸上に置くことができる道へのゲート部分を定義するメンバーの反対の終わりで、ユーザの手が始動することができるクリップから遠ざかって伸びるメンバーのレバー部分を定義するクリップのその終わりは開きます・・・またレバーの発動によって閉じられました。
【請求項５０】
指導あるいはカラー、クレーム４９に要求されたとともに、クリップは、そこでそれの遠隔の終わりの頭、口径と通をそれに定義する頭、および延長メンバーがそこで頭に隣接しているクリップに中枢的にマウントされるかと延長身体を持ちますか、クリップ身体およびゲート部分の１つの側からレバー部分が伸びるようなものは、対辺から伸びます。
【請求項５１】
要求されるようなそこでバイアスが通路を閉じた位置へスプリングによって延長メンバーにかけられる指導かカラーは、５０を要求します。
【請求項５２】
ペットの指導用のクリップ、クリップ、クレーム４７〜５１のうちの任意の１つの中で定義されるようにあること。
【請求項５３】
ペットの指導かカラーは、本質的に同じようにここに図面に関して記述しました。
【請求項５４】
付属は、ペットの鉛かカラーの延長メンバーにペットの鉛かカラーのクリップを付けるためのペットの鉛かカラーを備えた使用のために意味します、付属はクレーム１７〜４４のうちの任意の１つの中で定義されるようにあることを意味します。
【請求項５５】
図面のうちの、１２、１７あるいは１８まで図１に関してここに記述されるように、付属はペットの指導のために本質的に意味します。
【請求項５６】
ペットの指導かカラー用のクリップ、動物の形および動物の解剖の部分の中でクリップが形成される際に特徴づけられた、機械的にクリップのオペレーションに関係しています。
【請求項５７】
クレーム５６に要求されるようなクリップ、動物の解剖の部分は、クリップを開くための掛けがねで締まる手段を含む、また、それが拘束物にクリップで留められるかあるいは掛けがねで締まる手段の部分に反対するその中で特徴づけられて鳴ることを可能にすることは、耳および動物のあごフ形の中で形成されます、そのようなもの、掛けがねで締まる手段の耳部分を移動させることによって、掛けがねで締まる手段のあご部分は空席で閉じられた位置間に移動することができます。
【請求項５８】
クレーム５７に要求されるようなクリップ、掛けねで締まる手段はそこで中枢的にマウントされたレバー腕ですか、中間物、クリップの残りのその終わり、ユーザによってマニュアル約束のための動物形の出る耳を定義するレバー腕の1つの終わりおよびレバーのもう一つの端で、動物形の開いた口部分上に開くために移動することができる動物形のあご部分を定義して、武装する、そして、それへ拘束物か輪のループは捜し出すことができます。
【請求項５９】
ペットの指導および(または)カラー用のクリップは、本質的に同じようにここに、図面のうちの、１８、２０および２１まで図１３に関して記述しました。
【請求項６０】
次のもののステップを含んで、クレーム２７〜２９の鉛かカラーを組み立てる方法：（ａ）スロットに横に突起とすねを挿入すること；（ｂ）突起が袖に据え付けられるようになるように、拘束物から縦にすねを移すこと；そして（ｃ）挿入しスロットへ袖の中の突起を安全にし、かつ突起とプラグの間に拘束物の部分をはさむためにそのためにプラグを固定すること。
【請求項６１】
ペットの指導、認識票あるいは他のカラーの依存するオブジェクトへの放免可能な付属のために形成されたクリップを含むペットのカラー、およびカラーの延長メンバーに付けられているクリップ。
【発明の詳細な説明】
【発明の詳細な説明】
【０００１】
〔技術分野〕
ペット・リードとペット首輪用クリップとを共に取り付けるための取り付け機構又はリンクが開示されている。当該機構又はリンクは、販売個所でペット・リードの構成を選べるようにするものである。ペット・リード用の独特の構成要素も開示されている。
【０００２】
〔背景技術〕
現在は、ペットの飼い主がペット・リードを購入するために店に入ると、彼らには限定された数の選択しか与えられていない。リード長さと色は多様であり、また首輪の種類と色も多様である。更に、店が各種のペット・リードを顧客に提供したいならば、幾つかの異なった種類の組立てリードが保管されていなければならない。しかし、そのようなほぼ全てのリードは、図１２に示されたクリップに多少似た形に成形された工業標準クリップのデザインを有している。更に、幾つかの店は、財政上又は保管上のいずれかの制約によって種々のリードを揃えることができない場合があり、かくしてしばしば不十分な種類のリードしか販売個所で顧客に提供されない。例えば、店が保管できるリードの範囲は、卸しの時に利用できるすべての広い範囲によって決められるよりも、むしろ利用可能な棚及び／又は全体のスペースによって決められることが多い。従って、現在のところ、たとえ店が色々なリード又は首輪を売りたくても前記理由によって難しいであろう。
【０００３】
現在のところ、販売に供されている多くのペット・リードは、かなり外観が単調であって顧客にとっては美的に好まれるものではなく、部分的には、その理由は、大方そうでなくても、あらゆるそのようなリードは、上で参照した工業標準のクリップ・デザインを採用しているからである。更に、これらペット・リードのデザインの幾つかは、特に機能的でなかったり又は適当な寸法でなく、何人かの使用者（例えば身体に障害のある使用者）にとって工業標準のクリップ・デザインは使用が難しい。
【０００４】
〔発明の開示〕
〔発明が解決しようとする課題〕
店が異なったクリップ構造を有したリードを保管したい場合、通常保管する必要のあるリードの数は、欲しいと思われる多数の異なったクリップの種類となり、またしてもこれによって過剰な保管が必要とされるであろう。
【０００５】
もしペット・リードが容易に作られるものであれば、機能的にも、美的にも喜ばれるものが有利であろう。
【０００６】
〔課題を解決するための手段〕
第１の形態では、ペット・リードとペット首輪用クリップとを共に取り付けるための取り付け機構が用意されており、その機構は前記リード又はクリップの一方に接続するようになっている雄部分と前記クリップ又はリードの他方に接続するようになっている雌部分とをそれぞれ有しており、雄部分はその末端に突出部を有したシャンクとなっており、雌部分はその側壁にスロットを有したスリーブとなっている。そのスロットは、シャンクと突出部とをそれを通して横方向から受け入れ、突出部が座部へと長手方向に移動できるように形成されている。突出部は、リーブから外されるように座部から長手方向に、次に横方向に移動されなければならない。
【０００７】
ペット・リードおよびクリップの両方を容易に、しかも確実にしっかりと取り付けるための機構が用意されている。
【０００８】
取り付け機構は、更にスリーブのスロット内に受け入れたものを閉じ込める形状のプラグを有しており、それによって一旦シャンクと突出部がスロットを通して挿入されると、プラグはスロット内に挿入されて固定され、シャンクと突出部をスリーブ内にロックする。プラグは、各々その自由端にフック形状部を有した対向する突出フィンガーを有することができ、また対応した穴をスリーブの内壁を通るように該内壁に形成しており、各穴は、プラグがスロットに挿入されると、プラグをスリーブ内に固定するようにフック形状部の各々の部分を内部に受け入れるものである。プラグは、付加的にしっかりと固定を行うものである。更に、プラグには歪み又は応力が全く存在せず、更にそれはなお突出部をスリーブ内にロックする。
【０００９】
雄部分は、クリップの近端部から延びるようにそれと一体に形成され、雌部分は、リードの遠端部に接続するようになっている。雌部分はリンクに接続され、リンクはリードの遠端部に形成されたループを通るように挿入される。
【００１０】
第２の形態では、ペット・リードとペット首輪用クリップとを共に取り付けるための取り付け機構が用意されており、その機構は、前記リード又はクリップの一方に接続するようになっている雄部分と、前記クリップ又はリードの他方に接続するようになっている雌部分とをそれぞれ有しており、雄部分の一部分は、外ネジを有し、雌部分の一部分は内ネジを有し、それらネジによって雄部分と雌部分とが共にネジ結合されるようにしている。
【００１１】
そのような機構は、ペット・リードとクリップとを共に非常に容易に取り付けると共に外せるようにするものである。
【００１２】
第２の形態では、雄部分は外ネジ・ボルトとし、雌部分はクリップの近端部から延びるようにそれと一体に形成される。
【００１３】
第２の形態では、リンクは、リードのループ状端部を通るように挿入されることでリードの遠端部に接続され、スリーブはリンクに搭載される。第２の形態では、雌部分はこのスリーブの開放端部内に挿入され、雄部分はこのスリーブの反対側の開放端部内に挿入されて雌部分とネジ結合し係合される。
【００１４】
第２の形態では、雌部分は使用中にスリーブ内に回転するようにうまく受け入れられるのに対して、雄部分は雌部分及びスリーブの内径を越えて突出する拡大ヘッドを有し、スリーブ内に雌部分を保持する。
【００１５】
第３の形態では、ペット・リードとペット首輪用クリップとを共に取り付けるための取り付け機構が用意されており、その機構は前記リード又はクリップの一方に接続するようになっている雄部分と前記クリップ又はリードの他方に接続するようになっている雌部分をそれぞれ有しており、雄部分はシャンクを有し、雌部分はスリーブを有している。シャンクは遠端部がスリーブを越えて突出するようにスリーブを通って挿入可能となっており、シャンクの自由端は溝を有している。その機構は、更にシャンクの遠端がスリーブを越えて突出すると、その溝内に係合するようになっているサークリップを有しており、そのサークリップは、スリーブの内径よりも大きい周囲寸法を有しており、それによってシャンクの本体をスリーブ内に保持することができることになる。
【００１６】
再度、サークリップを使用することでペット・リードとクリップとを共に取り付けたり取り外すことが非常に容易になる。
【００１７】
第４の形態では、ペット・リードとペット首輪用クリップとを共に取り付けるためのリンクが用意されており、そのリンクは、クリップの近端部に結合されるか、又はそれと一体に形成されるカラビナの形になっており、カラビナを貫通している開口は、リードのループ状遠端がその開口に通されてリンクをリードに取り付けるような寸法となっている。
【００１８】
リンクとしてカラビナを使用することでペット・リードとクリップとを共に取り付けたり取り外すことが非常に容易になる。
【００１９】
第４の形態では、スリーブはリンクに搭載され、またシャンクは、クリップから延びると共にシャンクの自由端がスリーブを越えて突出するようにスリーブを通って挿入される。シャンクの自由端は、次にスリーブの内部寸法より大きな周囲長さを有し、それによってクリップをリンクに取り付けるようにスエージ加工される。
【００２０】
第５の形態では、ペット・リードとペット首輪用クリップとを共に取り付けるためのリンクが用意されていて、リードの遠端部がループ状に形成されており、そのリンクは：
−リード遠端部のループを通過できるか及び／又はクリップに接続されるシャックル本体と；
−リード遠端部のループ又はクリップの開口を通ることができるシャックル本体用のピンと；を各々有している。
【００２１】
リンクとしてシャックルを使用することで、ペット・リードとクリップとを共に取り付けたり取り外すことが非常に容易になる。
【００２２】
第５の形態では、シャックル本体は、Ｕ形状にされ、各々その遠端部でピンを内部に受け入れるように成っている第一及び第二のアームを有している。ピンは、その場合ネジを有した端部及び反対側の拡大ヘッドを有し、そのピンのネジを有した端部は、第一アームの遠端部に形成されたネジ付き凹み内に螺入可能となっており、ピンの拡大ヘッドは第二アームの遠端部に形成された凹みで抑制されている。
【００２３】
第６の形態では、ペット・リードとペット首輪用クリップとを共に取り付けるための取り付け機構が用意されており、その機構はクリップに搭載されるか又はそれと一体に形成されるか、あるいはクリップの開口を通って延びたリンクを有しており、そのリンクはリードのループ状遠端部を通って延びるようになっており、リードのループ状端部はバックルによって形成されており、リードの自由端が後方にループを成して前記バックルを通っている旋回ピン構造を伴っている。バックルの旋回ピン構造の旋回ピンはリードの自由端部の穴を通るように挿入され、それをバックル内で移動しないようにロックする。
【００２４】
リードの遠端部内にバックル構造を組み込むことによって、再度ペット・リードとクリップとを共に取り付けたり、取り外すことが非常に容易になる。
【００２５】
第７の形態では、ペット・リードとペット首輪用クリップとを共に取り付けるための取り付け機構が用意されており、その機構はクリップとリードとを共に接続するリンクを有しており、そのリンクは、クリップに搭載されるか又はそれと一体に形成されるか、あるいはクリップの開口を通って延びると共に更にリードのループ状遠端部を通って延びている。ループ状端部は、リードの自由端部を後ろに折ると共にそれをリードの隣接部分に対して解放可能に固定することによって形成されている。その解放可能な固定は、一つ以上のプレス・スタッド又はネジ付きスタッドによって行われる。
【００２６】
リード遠端部に解放可能な固定構造を採用することで、これによって再度ペット・リードとクリップが非常に容易に共に取り付けられ、また解放されるものである。
【００２７】
第１及び第３から第７の形態で限定されているようなリンクは、リング状に、楕円形状に、又は矩形状にできる。
【００２８】
第８の形態では、ペット・リードとペット首輪用クリップとを共に取り付けるための取り付け機構が用意されており、その機構は、リードのループ状遠端部を通って延びた第一リンクと、クリップに搭載されるか又はそれと一体に形成されるか、あるいは前記クリップの開口を通って延びた第二リンクとを有しており、第一又は第二のリンクの一方はそこから突出したＴ形状ピースのステムを有しており、第二又は第一のリンクの他方は、Ｔ形状ピースの受け入れが第一及び第二のリンクを共に接続するために対応したＴ形状のスロットを形成した本体に各々接続されており；
Ｔ形状ピース及び本体は各々細長くなっていて、Ｔ形状のスロットが本体を通って長手方向に延びると共にその端にスロットへのＴ形状の開口を形成しており、その開口に細長いＴ形状ピースを摺動させて、第一及び第二のリンクを共に接続する。
【００２９】
細長いＴ形状ピース及び細長い本体を有したリンク構造を設けることで、クリップとリードとの間に非常にしっかりとした相互接続を確保できる。
【００３０】
第８形態では、第一及び第二のリンクを共にロックするためにＴ形状ピースが本体に配置されるとＴ形状ピースを通って本体内に延びるようにグラブ・ネジ又はピンが搭載される。
【００３１】
第９形態では、ペット・リードとペット首輪用クリップとを共に取り付けるための取り付け機構が用意されており、該機構は：
−中空な内部とその中空内部に通じる開口とを有し、リード又はクリップに接続された本体と；
−自由端部に突出部を有し、クリップ又はリードに各々接続されるシャンクであって、突出部が開口の横断面寸法よりも大きな横断面寸法を有しているが、本体の中空内部内に嵌まる寸法と成っているシャンクと；
を有しており、突出部は、弾性を有していて、それで突出部が開口を通って挿入されると変形すると共に一旦中空内部内に配置されると再形成して、それによってリードとクリップとを共に取り付けることになる。
【００３２】
弾性突出部を採用することで、リードとクリップとを取り付ける非常に素早い手段を達成できる。
【００３３】
第１０の形態では、ペット・リードとペット首輪用クリップとを共に取り付けるための取り付け機構であって、該機構は：
−中空な内部とその中空内部への開口とを有し、前記リード又はクリップに接続され、中空内部内にリング・エレメントを配置している本体と：
−溝をシャンクの遠端部の周り及び該遠端部に近接して配置しており、クリップ又はリードの各々に接続されるシャンクであって、溝がリング・エレメントを内部に受け入れるようになっているシャンクと；
を有しており、シャンク及び／又はリング・エレメントの少なくとも一方は、弾性を有していて、一旦シャンク遠端部が中空内部内に配置されるとリング・エレメントが溝内に乗り込んでリードとクリップとを共に接続するように、シャンクが開口を通って挿入されると変形することになる。
【００３４】
再度、リング・エレメントを採用することで、リードとクリップを解放可能に取り付ける非常に素早い手段を達成できる。
【００３５】
第１０の形態では、リング・エレメントは、シャンクがそれを通り越して移動すると変形し、一旦溝に整合されると溝内に拡張する円形スプリングを有している。
【００３６】
第１０の形態では、シャンク及び／又はリング・エレメントの少なくとも一方は、プラスチック、可撓な金属などの弾性材から形成される。
【００３７】
第１から第１０の形態では、リードはストラップを有している。リードは、更にその近端部にハンドルを有している。
【００３８】
第１から第１０の形態では、クリップは、該クリップの開口への入口を規定したスプリング付勢ピンを有している。突出したフックは、ピンから外側に延びており、入口を開くためにスプリングに抗してピンを動かせることができるように使用者の指をそこに受け入れるようになっている。フックは、Ｊ又はＵ形状を成すと共に使用者の指を内部にうまく受け入れられる寸法と成っている。これで、身体障害者、若年者又は高齢者の使用者がクリップをより容易に使用できる。
【００３９】
Ｊ又はＵ形状のフック構成は、更に、フックをクリップに（一体形成又は溶接によって）取り付けることで在来の工業標準クリップに適用される。
【００４０】
第１から第１０の形態では、クリップの開口への入口は細長い部材によって形成されており、その細長い部材はその端からクリップまでの中間に旋回可能に搭載されていて、使用者の手によって作動させることができるようにクリップから離れて延びる細長い部材のレバー部分を形成している。部材の反対側端部は、前記レバー部分の作動によって開閉旋回させることができるゲート部分を前記入口に対し形成している。
【００４１】
例えば、クリップは、その遠端部にヘッドを備えた細長い本体を有していて、ヘッドは開口と、それに通じる入口とを形成している。細長い部材は、レバー部分がクリップ本体の一方の側面から延びると共にゲート部分が反対の側面から延びるようにヘッドに隣接してクリップに旋回可能に搭載されている。細長い部材は、スプリングによって入口の閉鎖位置に付勢されている。
【００４２】
レバー型の構造を採用することで、レバー及びクリップ本体を容易に且つ同時に握られ、身体障害のある使用者、ハンディキャップのある使用者、若年者及び高齢者等が使用するのが更に容易になる。
【００４３】
第１１の形態では、ペット・リード用又はペット首輪用のクリップであって、そのクリップは：
（ａ）ピンから外側に延び、Ｊ又はＵ形状を成すと共に使用者の指を内部にうまく受け入れられる寸法と成っている突出したフックを有するか；又は
（ｂ）細長い部材によって代わる代わる形成される入口をクリップの開口に向かって有するように形成されており、その細長い部材は、その端からクリップへの中間に旋回可能に搭載されており、使用者の手によって作動させられる細長い部材のレバー部分をクリップから離れる方向に延びるように形成されており、細長い部材の反対側端部がレバー部分の作動によって開閉旋回されるゲート部分を入口に対し形成している。
【００４４】
（ｂ）で、クリップは、その遠端部にヘッドを備えた細長い本体を有しており、ヘッドは開口と、それへの入口とを形成している。細長い本体は、その場合、レバー部分がクリップ本体の一方の側面から延びると共にゲート部分が他方の側面から延びるようにヘッドに隣接してクリップに旋回可能に搭載されている。細長い部材は、スプリングによって入口の閉鎖位置に付勢されている。
【００４５】
これらのクリップを改造することで、（ハンディキャップのある使用者と身体障害のある使用者を含んだ）色々な使用者によってクリップをより容易に使用できるようになる。
【００４６】
第１から第１０の形態で規定された取り付け機構又はリンクを採用することで、ペット・リード用構成要素を販売個所で組み立てることができる。販売個所には、ペット・リードの販売店に関連したあらゆる設備又は場所が含まれる。例えば、販売個所は、ペット・リードを売る店のキャッシュ・レジスター、又はあらゆる場所とすることができる。販売個所の設備で（又は販売個所から離れた家庭の作業場で）顧客によって構成要素が組み立てられるように、組立設備も（例えば、販売個所に）用意される。
【００４７】
取り付け機構又はリンクによって、ペット・リードを買いたい顧客が販売個所で『混合化及び／又は適合化』ができるようになる。かくして、多くの異なった構成要素を未組立て状態で提供することで、広範囲なペット・リードの構成を顧客が利用できるようになる。更に、未組立て構成要素がグループ化されている（例えば、緊密に梱包されたり、又は寄せ置かれている）ので、保管空間を削減できる。これによって、在来の店は非常に多数の組み立てられたペット・リードを何時でも保管しておく必要が無く、広範囲のペット・リードの構成を提供できるようになる。これによって、更に、例えば機能的及び／又は美的な見地から、顧客がペット・リード又は首輪を個性化したり、又は特注化する機会が大いに供される。
【００４８】
更に、解放可能な取り付け機構又はリンクを設けることで、顧客は構成要素を変えたり、交換したり、又は取り替えることができる。
【００４９】
このことは、更に、身体に障害の有る人々にとって特に有利である。混合化及び適合化ができることで、身体に障害の有る顧客はリードを特注化して彼等の特別のニーズに合わせられる。例えば、手の動きに障害の有る関節炎や、又は別の慢性病の有る顧客に特に適したハンドル及び／又はクリップが提供されている。より具体的には、パッド付きハンドルと容易に開かれるクリップが提供される。
【００５０】
ペット・リードの構成要素には、一般的に、首輪に解放可能に取り付けるように構成されたクリップと、該クリップへの取り付けを確実に行うためのストラップの各々が複数含まれている。更に、それらの構成要素には、ペットが着用する構成の複数の首輪及び／又はクリップを首輪に取り付けるための複数のリング（又はリンク）が含まれる。各構成要素の複数の異なったタイプとスタイルも採用される。
【００５１】
クリップをストラップの近端部に解放可能に取り付けるための取り付け手段又はリンクが採用される。これによって、（例えば、使用に関心がある故に又は構成要素の故障、摩耗などによって多様化するように）顧客が構成要素を変えたり、交換したり、又は取り替えることができる。一旦クリップがストラップに取り付けられると、それは永久的にストラップに付加されることになる。取り付け手段は、クリップとストラップのいずれかに、又は両方に付随されている。
【００５２】
一般には、各ストラップの遠端部は人によって保持されるように構成されている。
【００５３】
組立て設備は、リード又は首輪の購入者（顧客）が構成要素を所望のペット・リード構成に容易に組み立てることができるように構成されている。この点に関して、組立て設備には、簡単な道具及び取扱説明などが含まれている。これで、顧客が自分自身のリードを作り上げる満足が得られる。更に、保管場所及び組立て設備は、選択された構成要素がすぐに所望のペット・リード構成に組み立てられるように互いに接近して位置決めされている。
【００５４】
ペット・リードの構成要素は、ペット・リードを手で組み立てられるように構成されている。手による組立は、手により及び／又は道具の使用によるものである。
【００５５】
第１２の形態では、第１形態のリード及びクリップを組み立てる方法が提供されている。その方法は：
（ａ）突出部及びシャンクをスロット内に横方向から挿入する工程と；
（ｂ）突出部がスリーブの座部において着座されるようにシャンクを長手方向に移動する工程と；
（ｃ）プラグをスロット内に挿入し、それによって固定し、突出部をスリーブ内で動かないようにすると共に突出部をプラグとスリーブ座部との間に挟む工程と；を有している。
【００５６】
販売個所では、ペット・リードを構成するように選択された構成要素を組み立てる方法が提供される。
【００５７】
この方法の実行に際して、顧客が店のスタッフと互いに話し合ったり、構成要素の選択に顧客が係わり合ったり、及び／又は顧客自身のリードを作ることで結果的により大きな顧客の満足が得られることになる。顧客がリードを最適化しようとより深く係わっているので満足度が更に高められる。
【００５８】
ループへの形成で首輪の本体を形成するために複数の各細長い部材と、細長い部材に取り付けられ且つストラップに解放可能に取り付けできるようにする結合構成要素とを有したペット用首輪の構成要素が提供されている。
【００５９】
第１３の形態では、ペット・リードの又はペット用首輪のクリップが提供されており、そのクリップは、動物の型に構成されていて、動物の体躯の一部分がクリップを機械的に作動するように移動可能と成っていることを特徴としている。
【００６０】
動物型のクリップのオプションは、機能および見た目のどちらの点も同時に満足しているので独創的である。クリップがペット動物との関連で使用されることになっている場合には、それは美的に特にふさわしいものである。
【００６１】
動物の体躯の一部分は、クリップを開くと共にそれをシャックル上に又はリング上に留めるようにする掛け金手段を有している。例えば、掛け金手段は、その両端部分が動物の耳と顎の形状に構成されており、掛け金手段の耳部分を動かすことによって掛け金手段の顎部分が開放位置と閉鎖位置との間で動くことができる。かくして、犬の耳と顎の間のそのような機械的結合は、機能と遊び感覚の両方を満たしている。しかし、掛け金手段は、形状を動物の他の体躯部分に構成される。
【００６２】
掛け金手段は、レバー・アームの形となっていて、そのレバー・アームは、その端からクリップの残りの部分にかけての中間で旋回可能に搭載されており、レバー・アームの一端部が、使用者による手動の係合のために動物型の突出した耳を形成しており、レバー・アームの他方端が、動物型の口部分を開くように動くことができ且つシャックルのループ又はリングが中に入れられる動物型の顎部分を形成している。その場合、レバー・アームの他方端部は、シャックル又はリングをそこに掛けるように閉鎖される。
【００６３】
〔発明を実施するための最良の形態〕
発明の要旨で規定されているような取り付け機構及びリンクの技術範囲内に入るあらゆる他の形態が存在するが、以下、特定の取り付け機構及びリンクの実施例について添付図面を参照して説明する。これは単なる例示に過ぎない。
【００６４】
まず図１８を参照すると、販売箇所でペット・リードの構成を選択するための方法及びシステム１００が、概略図示されており、ペット・リードを組み立てるのに十分な幾つかのペット・リード構成要素を保持したスタンド１０２、１０４の形の構成と成っている。オプションの組立設備が作業場１０６の形で示されており、その作業場１０６はスタンド１０２、１０４から選ばれた構成要素を所望のペット・リード構成へと組み立てられるようにするものである。
【００６５】
これに関連して、スタンド１０２は幾つかの異なったクリップの種類１０８と、幾つかの異なったシャックルの種類１０９と、幾つかの異なった首輪の種類１１０とを保持している。スタンド１０４は幾つかの異なったリードの種類１１２を保持している。作業場１０６は、仕上がった製品にリード構成要素を組み立てられるようにする幾つかの異なった道具の種類を保持している。展示箱、引き出し、棚などを含むよりコンパクトな保管設備及び展示設備も勿論採用される。
【００６６】
使用に際して、購入者は欲しいクリップ、シャックル、首輪及びリードを選んでそれらを作業場１０６に持って行き、それらを組み立て（又は店の補助員にそれらを組み立てさせ）、そして仕上がった製品を販売カウンター（作業場１０６の近くにあることが多い）で購入する。このようにして購入者は、好きな（例えば適した又は混合した色、スタイル、美しさなどを有した）クリップの種類、シャックルの種類、リードの種類及び首輪の種類を選ぶことができる。
【００６７】
オプションで組立設備が販売箇所に用意されているが、販売箇所から離れた設備（例えば家庭の作業場）で消費者によって構成要素が組み立てられるようにそれら構成要素は構成され及び／又は適合化される。
【００６８】
図１から１４、１６及び１７は、クリップをリードに取り外し可能に（又は永久的に）取り付けるために図１８のシステムに採用される色々な取り付け機構を示している。
【００６９】
さて図１を参照すると、ペット・リード１は、端部に鎖又はストラップ２とそのストラップ２のループ状端部に配置されたシャックル３とを有している。クリップ７をストラップに取り外し可能に（又は永久的に）取り付けるための機構は、ネジ４、カラー５、及びクリップ７のシャンク８に形成された内ネジのネジ受け入れ凹み６を有している。シャンク８は、更にカラー５内に取り外し可能に挿入されるように構成されている。シャンク８がカラー５に挿入されると、次にネジ４がネジ受け入れ凹み６内に螺入され、共同して組立を確保する。ネジは、シャンクがカラー内でスイベル式に回転できるようにもなっている特定の深さまで挿入することができる。
【００７０】
この機構が販売箇所で使用される場合、顧客は所望のストラップ２とシャックル３の組み合わせとクリップ７とを選び、次にそれら構成要素を店や又は他の場所で組み立ててもらい（又は自分自身でそれらを組み立て）顧客の好みのペット・リードを形成する。
【００７１】
さて図２に移ると、図１で使用されたものに対する同じ参照番号は同じ又は類似した部品を示している。この実施例では、シャンク８ａはその自由端近くのその周囲に凹み又は溝９を有している。第一実施例におけるように、シャンク８ａはカラー５ａを通って取り外し可能に挿入されるように構成されている。しかし、この実施例では、シャンク８ａが一旦カラー５ａに挿入されてそれを越えて突出されると、凹み９にサークリップ１０を嵌め込むことで共に組立体として保持される。サークリップは、カラー５ａの内径よりも大きな嵌合直径を有しており、それでシャンクがカラーから外れるのを防ぐが、シャンクがカラー内でスイベル式に回転できるようにしている。
【００７２】
さて、図３を参照すると、クリップをストラップに取り外し可能に又は永久的に取り付けるための機構が示されており、再び前記実施例で使用されたものと同じ参照番号は同じ部品又は類似した部品を示している。この実施例では、支柱８ｂは図２の実施例におけるものと同じ凹み又は溝９ｂを有している。しかし、この実施例では、支柱８ｂがカラー５ｂ内に挿入されると、スロット１１を通して挿入された後に溝９ｂと係合するサークリップ１０ｂによって支柱８ｂは所定箇所にロックされる。これに関して、スロット１１はカラー５ｂの壁を貫通して延びており、サークリップ１０ｂを収容するように構成されている。サークリップ１０ｂは、一旦挿入されると溝９ｂ内に着座し、更にスロット１１によって部分的に形成されたカラー５ｂ内の一体化した棚上にも着座する。更に、一旦サークリップ１０ｂが溝９ｂと係合すると、サークリップ１０ｂがカラー内に保持されて手を近付けて外すことが難しいので図２の実施例よりもより永久的となる。
【００７３】
図４、５及び６は、クリップをストラップに取り外し可能に又は永久的に取り付けるための別の機構を示しており、同じ部品又は類似した部品を示すために前記実施例で使用されたものと同じ参照番号を採用している。この実施例のクリップ７ｃは、クリップ７ｃの端から突出した一体成形の突出部１２を有している。突出部１２は、シャンク部１３と、該シャンク部１３の端部よりも大きな直径でその端部に配置されたヘッド１４とを有している。カラー５ｃは、その側壁にＴ状凹み１５を有しており、そのＴ状凹み１５は突出部１２を通して受け入れるように成形されている。一旦挿入されると、ヘッド１４はカラー内の内部座部１５ｄに対して着座のために位置決めされる。即ち、ヘッド１４は横方向からＴ状凹み１５に入り、次に座部１５ｄに近接して休止するまで長手方向（下方）に僅かな距離移動され、その結果突出部１２をＴ状凹み１５から外すために、それを横方向に外す前に先ず長手方向（上方）に動かさなければならなくなる。シャックル３ｃ上で長手方向に突出部１２に隣接して部分的に着座するようにロック・プラグ１６を凹み１５内に挿入することで突出部１２は凹み１５内にロックされる。
【００７４】
ロック・プラグ１６は、二つの外側に付勢されたアーム１７によって解放可能ではあるが凹み１５にロック係合するように構成されている。これに関しては、各アームはその自由端部にフック１７ｃを有しており、一旦プラグが挿入されると、そのフック１７ｃはカラー５ｃの壁を通った各穴１５ｃへとロックする。フック１７ｃは、またそれら穴１５ｃから出るように押しで圧縮され、凹み１５からロック・プラグ１６を解放し、これでカラー５Ｃからの突出部１２の解放が可能になる。
【００７５】
さて図７及び８に転じると、そこでは同じ又は類似した部品を示すために前記実施例に関するものと同じ番号が使用されており、クリップをストラップに取り外し可能に又は永久的に取り付けるための別の機構が示されている。この実施例は、ストラップ用シャックル部１８とクリップ用シャックル部１９とを有した分割可能なシャックル構造を採用している。ストラップ用シャックル部１８は、前記実施例におけるようにその中心開口を通してストラップ２ｄを受けている。好ましくは、シャックル部１８は、端面図ではＴ状に形成されておりＴ形状の横断部が雄突出部２０を形成している。クリップ用シャックル部１９は、カラー５ｄを有しており、そのカラー５ｄはクリップ７ｄに図示のように（例えば、図１又は２におけるような機構を使用して、又はシャンク端部に渡ってスエージ加工されて）取り付けられている。
【００７６】
クリップ用シャックル部１９は、シャックル部１８のステムとＴ形状の突出部である雄突出部２０とを受け入れるために対応したＴ形状の雌凹み２１を有している。ステム及び雄突出部２０は、先ずステム及び雄突出部２０を雌凹み２１内に挿入し、次にクリップ用シャックル部１９の壁の開口２３を通してピン又はグラブ・ネジ２２を挿入すると共に次いで雄突出部２０に形成された整合した凹み２４内に挿入することで雌凹み２１内にロックされる。両シャックル部は互いに逆になるようにも構成される。
【００７７】
図９から１４、１６及び１７を参照すると、同じ参照番号は前記実施例に対して同じ又は類似した部品を示していることに注目すべきである。更に、今度はクリップをストラップに取り外し可能に又は永久的に取り付けるための他の機構についても説明する。
【００７８】
図９を参照すると、図７の実施例と同じカラー５ｅとクリップ７ｅの構成を有したペット・リード１ｅが図示されている。しかし、この実施例はシャックル３ｅにカラビナ型金属輪を使用しており、それはクリップ７ｅ及び／又はストラップ２ｅの端部の輪が互いに取り外し可能に組み合わされるようにしている。カラビナ型シャックル３ｅは、ゲート２５を組み込んでおり、そのゲート２５は、旋回点２６の周りで旋回するがゲートと旋回軸との間で作動するスプリング機構を介して付勢され閉じられるようになっている。
【００７９】
さて図１０を参照すると、ペット・リード１ｆでは、Ｕ形状のシャックル２７がストラップ２ｆをクリップ７ｆに取り付けるために採用されている。そのシャックルは、次にクリップ７ｆに取り付けられるカラー５ｆを組み込んだベースを有している。外ネジを形成したシャックル・ピン２８がシャックル・アーム２９のネジの無い開口に通され、次にストラップ２ｆの端部に形成されたループに通され、次にシャックル・アーム３０の内ネジの形成された開口内に螺入される。ピン２８は、その外ネジの形成された端部とは反対側に大きなヘッド２８ａを有している。
【００８０】
さて図１１を参照すると、リード１ｇは、クリップ７ｇにカラー５ｇを介して取り付けられたリング状リンク３ｇを有している。ストラップ２ｇは、一端部がループに形成されており、そのループが開閉されるようにするベルト型のバックル３１をループに組み込んでいる。ループが開放されると、ストラップ２ｇの一部分はリング状リンク３ｇの中心に通され、次にループはベルトバックル３１を使用して再び閉じられ、クリップをストラップに取り付けている。
【００８１】
さて図１２を参照すると、ペット・リード１ｈは、ベルトバックル３１の代わりにストラップ２ｈの端部をループ状に閉じるために２本の圧縮スタッド３２が使用されている点を除き図１１に示されたものに非常に似ている。再び、スタッド３２が販売箇所でストラップ２ｈに適用される。圧縮スタッド３２は、更にリベット又はネジ付きスタッドとすることもできる。
【００８２】
さて図１３及び１４に転じると、ストラップ２ｉはシャックル３ｉに通されていて、そのシャックル３ｉはカラー５ｉをその上に一体的に形成している。そのカラー５ｉは形状を決めたクリップ７ｉと一体的に形成されたシャンク８ｉを受け入れるように構成されている。そのシャンク８ｉはシャックル３ｉと係合してクリップ７ｉをロックする解放可能なヘッド３７（例えば図１及び２を見ること）を有するか、又はシャックルの端部が３７の箇所に渡ってスェージ加工されるか／平坦化されている。
【００８３】
クリップ７ｉは、犬の形に構成されており、一端部が耳３４の形に構成され且つ反対側端部が犬の顎３５の形に構成された掛け金３３を有している。その掛け金３３は、犬の形状のクリップ７ｉに旋回ピン３６を介して旋回するように搭載されている。その旋回結合は、掛け金３３の耳部分３４を犬形状のクリップ７ｉの後ろに向かって移動することによって移動部分３５を図１４に示されているように開放位置に移動するようなものとなっている。掛け金３６は、掛け金３３を図１３に示されている閉鎖位置に向かって付勢するスプリングを有している。
【００８４】
犬の体躯の他の部分も同じような作用を行うために使用される。
【００８５】
図１５Ａから１５Ｆは、図１３及び１４のものに代る犬形状クリップを示しており、その機能的な形態を保持しつつも幾つかの異なった美的効果がクリップで達成される点を図解している。更に、図１３から１５の掛け金構造は、クリップのカラー・リングの取り付けに使用者による掛け金の作動を何ら必要としないので（即ち、人は単に掛け金をリングに向かって押してそれを開くことができるので）身体障害者、ハンディキャップのある人、関節炎等の人が使用するのがより容易になっている。更に、図１３から１５のクリップにおける掛け金の開放は、より容易な作業であって、親指を耳部分３４に渡ってただ単に後ろに滑らせればよいだけである。従って、これらのデザインによって作業動作の面と美的な面の両方の効果が達成される。
【００８６】
さて図１６及び１７を参照すると、以前の図に使用されているものと再び同じになっている参照番号は、同じ又は類似した部品を示している。図１６及び１７は、ペット・リード１Ｊ、１Ｋを各々示している。ペット・リード１Ｊ、１Ｋは、ストラップ２Ｊ、２Ｋと、雌の凹み部分３８Ｊ、３８Ｋと、雄の挿入部分３９Ｊ、３９Ｋと、クリップ７Ｊ、７Ｋと、接続シャックル４０Ｊ、４０Ｋとを各々有している。雄の挿入部分３９Ｋは、シャックル４０Ｋに対して旋回するように接続されており、それに対して雄の挿入部分３９Ｊは、シャックル４０Ｋと一体に固定されている。各シャックルは、更にその各クリップに対してボス４１Ｊ又は４１Ｋの周りで各々回転する。
【００８７】
図１６の実施例では、一般的に雄の挿入部分３９Ｊの自由端部は拡張されていてヘッド４２Ｊを成し、弾性（例えば、変形可能な又は可撓な）素材から形成されており、そのヘッド４２Ｊが雌の凹み部分３８Ｊ内に挿入されるとそれが図１６Ｂに図示されているように変形できるようにしている。一旦完全に挿入されると、それは次に拡張し、一般には図１６Ｃに図示されているように、その元の形に戻って雄と雌の部分を共に取り付ける。この構成は、かくして或る種のスナップ嵌合を行う。図１６Ｄ及び１６Ｅは、挿入作動の初期位置と最終位置を各々示している。
【００８８】
二者択一的に又は付加的に、雌の凹み部分３８Ｊは弾性（例えば、変形可能な又は可撓な）素材から形成され、それによって雄の挿入部分３９Ｊの挿入中にそれが外側に変形できるようにしている。
【００８９】
図１７を参照すると、雄の挿入部分３９Ｋは、円形の弾性スプリング４２を受け入れる構成の溝４１の形の周囲凹みを有しており、スプリング４２は雌の凹み部分３８Ｋ内に収容される。図１７Ａ、１７Ｂ及び１７Ｃは、各々分離した状態、中間状態及び完全に係合した状態に成っている雄の挿入部分３９Ｋを示しており、雌の凹み部分３８Ｋ内への雄の挿入中にスプリング４２は、雄の挿入部分３９Ｋの周りに乗り、雄の挿入部分３９Ｋによって拡張される。最後にはスプリング４２は溝４１と整合し、乗り込み、内部へと収縮して雄と雌の部分を共に取り付ける。図１７Ｄ及び１７Ｅは、各々挿入作動の初期状態と最終状態を示している。更に取り付け／取り外しを支援するために雄と雌の部分３９Ｋ、３８Ｋも適当な弾性（例えば、変形可能な又は可撓な）素材によって形成されている。
【００９０】
図１６及び１７は、かくしてクリップがリードのストラップに容易に且つたやすく解放可能に取り付けられる実施例を開示している。
【００９１】
図１９及び２０は、手に障害のある人、力の弱っている人又は同様な人（例えばそれは年齢に関係している）によってより容易に使用される二つの実施例を開示している。図１９は、在来のスプリング付勢されたピン４６を有したクリップ４５を開示しているが、クリップ４５は人の指によって容易に作動できるようにピン４６からＪ形状又はＵ形状で延びたフック５０を有している。これに関して、フック５０は人の指を内部にうまく受け入れるようなサイズにできる。
【００９２】
図２０は、新しい種類のクリップ６０を開示している。クリップ６０は細長い本体６０ａを有し、本体６０ａの端に円形のヘッド６０ｂを形成している。レバー・アーム６１がクリップ６０に旋回ピン６２を介して旋回可能に搭載されている。レバー・アーム６１はレバー部分６３と、ヘッド６０に対して開口を閉じるように向かい合った丸まったゲート部分６４とを有している。レバー部分６３は、クリップの本体６０ａから離れるように延びているが、レバー・アーム６１がゲートを開くように作動するために（即ちゲート部分６４を内側に旋回することによって）人の指又は手で容易に掴まれ、わずかに押すことによって旋回されるようになっている。更に、図１３から１５のクリップと同様に、ゲート部分はそれを開くためにリンク、リング又はシャックルに対して押圧されていて、かくしてほとんど手の器用さを必要とすることが無い。レバー・アーム６１は、一般に図２０に示されている状態にスプリング付勢されている。
【００９３】
以上特定の実施例について説明してきたが、ここでは、当業者に明白な改造が技術範囲を逸脱しない限り行い得るものである。例えば、前記の詳細な説明はペット・リードに関係した実施例を対象にしている。首輪に関係している実質的に類似したシステム及び方法が採用され、色々な首輪の構成はペット・リードに類似したり又は同じ様な方式で構成される。例えば、首輪用ストラップに統合され／形成されると共に鎖の挿入部を受けて係合するように構成される受け入れ部分を有した首輪が提供される。受け入れ部分と挿入部分は、図１から１４を参照して説明したようなシャックル取り付け手段へと前記クリップの形を作ることができる。
【００９４】
更に、バヨネット嵌合、干渉嵌合などの他の種類の取り付け機構も採用される。更に、他の人間工学的クリップと動物形状も採用される（例えば、猫リードに猫形状）。
【００９５】
ここで使用されているように、用語の『有している』は、包含的意味で訳されるべきであり、『ただ・・・から成る』と言う意味で訳されるべきでない。
【図面の簡単な説明】
【００９６】
【図１】第１実施例に係るペット・リードの端部の平面図である。
【図２】第２実施例に係るペット・リードの端部の平面図である。
【図３】第３実施例に係るペット・リードの端部の平面図である。
【図４】第４実施例に係るペット・リードの端部の平面図である。
【図５】図４のペット・リードの実施例の側面図である。
【図６】図４のペット・リードの実施例の端面図である。
【図７】第５実施例に係るペット・リードの端部の平面図である。
【図８】図７のペット・リードの実施例の側面図である。
【図９】第６実施例に係るペット・リードの端部の平面図である。
【図１０】第７実施例に係るペット・リードの端部の平面図である。
【図１１】第８実施例に係るペット・リードの端部の平面図である。
【図１２】第９実施例に係るペット・リードの端部の平面図である。
【図１３】第１０実施例に係るペット・リードの端部の平面図であって、クリップ閉鎖状態で新しい種類のクリップ構成を図示している。
【図１４】クリップ開放状態の図１３のペット・リード実施例の平面図である。
【図１５】図１３及び１４のものに対する代替クリップ構成の平面図である。
【図１６】第１１実施例に係るペット・リードの端部の平面図である。
【図１７】第１２実施例に係るペット・リードの端部の平面図である。
【図１８】販売個所でペット・リード構成を選択するシステムの概略描写図である。
【図１９】別の実施例に係る代替クリップ構成の平面図である。
【図２０】別の実施例に係る更に別の代替クリップ構成の平面図である。
【図１】
2007530018.tif 000003
【図２】
2007530018.tif 000004
【図３】
2007530018.tif 000005
【図４】
2007530018.tif 000006
【図５】
2007530018.tif 000007
【図６】
2007530018.tif 000008
【図７】
2007530018.tif 000009
【図８】
2007530018.tif 000010
【図９】
2007530018.tif 000011
【図１０】
2007530018.tif 000012
【図１１】
2007530018.tif 000013
【図１２】
2007530018.tif 000014
【図１３】
2007530018.tif 000015
【図１４】
2007530018.tif 000016
【図１５】
2007530018.tif 000017
【図１６】
2007530018.tif 000018
【図１７】
2007530018.tif 000019
【図１８】
2007530018.tif 000020
【図１９】
2007530018.tif 000021
【図２０】
2007530018.tif 000022
【国際調査報告】
2007530018.tif 000023
2007530018.tif 000024
2007530018.tif 000025
2007530018.tif 000026
2007530018.tif 000027
2007530018.tif 000028
2007530018.tif 000029